(57)【要約】【課題】容器を単独でも、接続しても使用することができ、また、単操作で、容器の収納物を取り出したり、使用したりすることができ、また、接続した容器に、その中心軸方向の引張力、曲げ力や捻り力が加わった場合でも、容器同士が分離しにくく、かつ、容器の接続及び分離操作が煩雑とならず、使い勝手のよい連結容器を提供すること。【解決手段】蓋体付き容器に容器同士を接続する嵌着接続部１１を設けてなる連結容器において、嵌着接続部１１が、接続する容器同士で同一形状をしてなり、かつ、蓋体１の表面に設けるようにする。【選択図】図１
2020196503.tif 000002
【特許請求の範囲】
【請求項１】
蓋体付き容器に容器同士を接続する嵌着接続部を設けてなる連結容器において、前記嵌着接続部が、接続する容器同士で同一形状をしてなり、かつ、蓋体の表面に設けられてなることを特徴とする連結容器。
【請求項２】
前記嵌着接続部が、接続する容器の中心軸と直交する面内で蓋体同士を回転させることによって、嵌着接続部の接続及び分離を行うようにしたものからなることを特徴とする請求項１に記載の連結容器。
【請求項３】
前記嵌着接続部が、接続する容器の中心軸と直交する面内で蓋体同士をスライドさせることによって、嵌着接続部の接続及び分離を行うようにしたものからなることを特徴とする請求項１に記載の連結容器。
【発明の詳細な説明】
【技術分野】
【０００１】
本発明は、連結容器に関し、例えば、複数種類の化粧品や筆記具の容器同士を連結することができるようにした連結容器に関するものである。
【背景技術】
【０００２】
従来、複数種類の化粧品や筆記具の容器同士を連結して携帯したり、使用したりすることができるようにした連結容器が提案されている（例えば、特許文献１〜２参照。）。
【０００３】
これらの連結容器は、容器本体の基端側を円筒形状に、容器本体の先端側や蓋体を円柱形状にそれぞれ形成し、一方の容器本体の後端側に、他方の容器本体の先端側や蓋体を挿着することによって、容器同士を連結することができるようにしている。
【先行技術文献】
【特許文献】
【０００４】
【特許文献１】特開２００５−６０５６９号公報
【特許文献２】特開２００４−１８０８号公報
【発明の概要】
【発明が解決しようとする課題】
【０００５】
ところで、上記従来の連結容器のうち、特許文献１に開示されたものにおいては、容器を単独で使用したり、保存したりする場合は、別途、蓋体が必要となるという問題があった。
【０００６】
また、特許文献２に開示されたものにおいては、容器の収納物を取り出したり、使用したりする際に、容器同士を分離した後、蓋体を取り外す２段階の操作が必要となり、使い勝手が悪いという問題があった。
【０００７】
また、いずれの連結容器も、接続した容器に、その中心軸方向の引張力、曲げ力や捻り力が加わった場合、容器同士が分離しやすく、これに対処するために、例えば、接続部に螺合構造を適用すると、容器の接続及び分離操作が煩雑となり、使い勝手が悪いという問題があった。
【０００８】
本発明は、上記従来の連結容器の有する問題点に鑑み、容器を単独でも、接続しても使用することができ、また、単操作で、容器の収納物を取り出したり、使用したりすることができる、使い勝手のよい連結容器を提供することを第１の目的とする。
【０００９】
また、本発明は、接続した容器に、その中心軸方向の引張力、曲げ力や捻り力が加わった場合でも、容器同士が分離しにくく、かつ、容器の接続及び分離操作が煩雑とならず、使い勝手のよい連結容器を提供することを第２の目的とする。
【課題を解決するための手段】
【００１０】
上記目的を達成するため、本発明の連結容器は、蓋体付き容器に容器同士を接続する嵌着接続部を設けてなる連結容器において、前記嵌着接続部が、接続する容器同士で同一形状をしてなり、かつ、蓋体の表面に設けられてなることを特徴とする。
【００１１】
この場合において、前記嵌着接続部が、接続する容器の中心軸と直交する面内で蓋体同士を回転させることによって、嵌着接続部の接続及び分離を行うようにしたものからなるようにすることができる。
【００１２】
また、前記嵌着接続部が、接続する容器の中心軸と直交する面内で蓋体同士をスライドさせることによって、嵌着接続部の接続及び分離を行うようにしたものからなるようにすることができる。
【発明の効果】
【００１３】
本発明の連結容器によれば、蓋体付き容器に容器同士を接続する嵌着接続部を設けてなる連結容器において、前記嵌着接続部が、接続する容器同士で同一形状をしてなり、かつ、蓋体の表面に設けられてなることから、各容器が蓋体付き容器で構成され、容器を単独でも、接続しても使用することができ、また、単操作で、容器の収納物を取り出したり、使用したりすることができ、使い勝手がよい連結容器とすることができる。
そして、嵌着接続部が、接続する容器同士で同一形状をしていることから、蓋体付き容器の設計、製造が簡易になり、複数種類（特に、３種類以上。）の収納物を収納した蓋体付き容器から２種類を選択して連結して使用することができる。
さらに、嵌着接続部の嵌着強度を高めることにより、接続した容器に、その中心軸方向の引張力、曲げ力や捻り力が加わった場合でも、容器同士が分離しにくく、かつ、容器の接続及び分離操作が煩雑とならず、使い勝手のよい連結容器とすることができる。
【００１４】
また、前記嵌着接続部が、接続する容器の中心軸と直交する面内で蓋体同士を回転させることによって、嵌着接続部の接続及び分離を行うようにしたものからなるようにすることにより、接続した容器に、その中心軸方向の引張力、曲げ力や捻り力が加わった場合でも、容器同士が分離しにくく、かつ、容器の接続及び分離操作が煩雑とならず、使い勝手のよい連結容器とすることができる。
【００１５】
また、前記嵌着接続部が、接続する容器の中心軸と直交する面内で蓋体同士をスライドさせることによって、嵌着接続部の接続及び分離を行うようにしたものからなるようにすることにより、接続した容器に、その中心軸方向の引張力、曲げ力や捻り力が加わった場合でも、容器同士が分離しにくく、かつ、容器の接続及び分離操作が煩雑とならず、使い勝手のよい連結容器とすることができる。
【図面の簡単な説明】
【００１６】
【図１】本発明の連結容器の第１実施例を示す説明図である。
【図２】本発明の連結容器の第２実施例を示す説明図である。
【図３】本発明の連結容器の第３実施例を示す説明図である。
【図４】本発明の連結容器の第３実施例の変形例を示す説明図である。
【図５】本発明の連結容器の第３実施例の変形例を示す説明図である。
【図６】本発明の連結容器の第４実施例を示す説明図である。
【図７】本発明の連結容器の第４実施例を示す説明図である。
【図８】本発明の連結容器の第４実施例の変形例を示す説明図である。
【図９】本発明の連結容器の第５実施例を示す説明図である。
【図１０】本発明の連結容器の第５実施例の変形例を示す説明図である。
【図１１】本発明の連結容器の第５実施例の変形例を示す説明図である。
【図１２】本発明の連結容器の第５実施例の変形例を示す説明図である。
【図１３】本発明の連結容器の第６実施例を示す説明図である。
【発明を実施するための形態】
【００１７】
以下、本発明の連結容器の実施の形態を、図面に基づいて説明する。
【実施例１】
【００１８】
図１に、本発明の連結容器の第１実施例を示す。
この連結容器（蓋体のみを図示し、容器本体は図示省略。以下、他の実施例においても同様。）は、蓋体付き容器に容器同士を接続する嵌着接続部１１を設けてなる連結容器において、嵌着接続部１１が、接続する容器同士で同一形状をしてなり、かつ、蓋体１の表面に設けられてなるようにしている。
ここで、蓋体１は、内周面に容器本体に螺合するねじ部１０を備えるようにしているが、ねじ部１０以外の公知の封止手段を設けることもできる。
【００１９】
嵌着接続部１１は、先端を膨出形状（アンダーカット部１２ａ）に形成した凸部１２と、内側を窪み形状（アンダーカット部１３ａ）に形成した凹部１３とからなり、接続する容器（蓋体１）同士を、凸部１２と凹部１３の位置合わせをして突き合わせ、押し付けることで、接続することができるようにしている。
【００２０】
蓋体１の嵌着接続部１１は、変形可能な比較的軟質の合成樹脂材料で構成することが好ましい。
【００２１】
嵌着接続部１１の凸部１２と凹部１３の嵌着強度を高める（例えば、アンダーカット部１２ａ、１３ａを大きくしたり、より硬質の合成樹脂材料を使用する。）ことにより、接続した容器に、その中心軸方向の引張力、曲げ力や捻り力が加わった場合でも、容器同士が分離しにくく、かつ、容器の接続及び分離操作が煩雑とならず、使い勝手のよい連結容器とすることができる。
【００２２】
嵌着接続部１１の凸部１２（アンダーカット部１２ａ）及び凹部１３（アンダーカット部１３ａ）の個数や形状は、本実施例の２個ずつや円形形状に限定されず、任意の個数や形状にすることができる。
【００２３】
この連結容器によれば、各容器が蓋体付き容器で構成され、容器を単独でも、接続しても使用することができ、また、単操作で、容器の収納物を取り出したり、使用したりすることができ、使い勝手がよい連結容器とすることができる。
そして、嵌着接続部１１が、接続する容器同士で同一形状をしていることから、蓋体付き容器の設計、製造が簡易になり、複数種類（特に、３種類以上。）の収納物を収納した蓋体付き容器から２種類を選択して連結して使用することができる。
さらに、嵌着接続部の嵌着強度を高めることにより、接続した容器に、その中心軸方向の引張力、曲げ力や捻り力が加わった場合でも、容器同士が分離しにくく、かつ、容器の接続及び分離操作が煩雑とならず、使い勝手のよい連結容器とすることができる。
【実施例２】
【００２４】
図２に、本発明の連結容器の第２実施例を示す。
この連結容器において、嵌着接続部１１は、周面にアンダーカット部１２ａを形成した平面形状が扇形の凸部１２と、周面にアンダーカット部１２ａに対応するアンダーカット部１３ａを形成した平面形状が扇形の凹部１３とを、交互に設けてなり、接続する容器（蓋体１）同士を、凸部１２と凹部１３の位置合わせをして突き合わせ、押し付けることで、接続することができるようにしている。
【００２５】
この嵌着接続部１１は、凸部１２と凹部１３の嵌着寸法を大きくできるため、接続した容器に、その中心軸方向の引張力、曲げ力や捻り力が加わった場合でも、容器同士が分離しにくく、かつ、容器の接続及び分離操作が煩雑とならず、使い勝手のよい連結容器とすることができる。
【００２６】
なお、本実施例の連結容器のその他の構成及び作用は、第１実施例の連結容器と同様である。
【実施例３】
【００２７】
図３に、本発明の連結容器の第３実施例を示す。
この連結容器において、嵌着接続部１１は、周面にアンダーカット部１４ａを形成した平面形状が半円弧形の立壁１４と、周面にアンダーカット部１４ａに対応するアンダーカット部１５ａを形成した平面形状が半円弧形で、曲率半径が立壁１４の曲率半径より立壁１４の厚みだけ大きな立壁１５とを、交互に設けてなり、接続する容器（蓋体１）同士を、立壁１４と立壁１５の位置合わせをして突き合わせ、押し付けることで、接続することができるようにしている。
【００２８】
この嵌着接続部１１は、立壁１４と立壁１５の嵌着寸法を大きくできるため、接続した容器に、その中心軸方向の引張力、曲げ力や捻り力が加わった場合でも、容器同士が分離しにくく、かつ、容器の接続及び分離操作が煩雑とならず、使い勝手のよい連結容器とすることができる。
【００２９】
嵌着接続部１１の立壁１４及び立壁１５の個数や形状は、本実施例の１個ずつや円形形状に限定されず、図４及び図５に示す第３実施例の変形例のように、任意の個数や形状（柱状の立壁や段差を設けた立壁を含む。）にすることができる。
【００３０】
なお、本実施例の連結容器のその他の構成及び作用は、第１実施例の連結容器と同様である。
【実施例４】
【００３１】
図６及び図７に、本発明の連結容器の第４実施例を示す。
この連結容器において、嵌着接続部１１は、周面に飛びねじ形状のアンダーカット部１４ａを形成した平面形状が半円弧形の立壁１４と、周面にアンダーカット部１４ａに対応する飛びねじ形状のアンダーカット部１５ａを形成した平面形状が半円弧形で、曲率半径が立壁１４の曲率半径より大きな立壁１５（容器（蓋体１）同士を接続した状態で、立壁１４の外周面と立壁１５の内周面とは非接触。）とを、交互に設けてなり、接続する容器（蓋体１）同士を、立壁１４と立壁１５の位置合わせをして突き合わせ、接続する容器（蓋体１）の中心軸と直交する面内（後述の図８に示す第４実施例の変形例のように、中心軸方向にわずかな距離移動する場合を含む。）で蓋体１同士を相対的に回転させることによって、嵌着接続部１１の接続及び分離を行うことができるようにしている。
【００３２】
この場合において、接続する容器（蓋体１）同士を接続するための相対的な回転角度（飛びねじ形状のアンダーカット部１４ａ、１５ａ同士を螺合させるための回転角度）は、操作性の観点から、１８０°以下、好ましくは、９０°以下（本実施例においては、約６０°。）に設定するようにする。
【００３３】
この嵌着接続部１１は、立壁１４と立壁１５の中心軸方向の嵌着寸法を小さくしても、十分な嵌着強度を得ることができるため、容器（蓋体１）の小型化が可能であり、また、接続した容器に、その中心軸方向の引張力、曲げ力や捻り力が加わった場合でも、容器同士が分離しにくく、かつ、容器の接続及び分離操作が煩雑とならず、使い勝手のよい連結容器とすることができる。
【００３４】
嵌着接続部１１の立壁１４及び立壁１５及び飛びねじ形状のアンダーカット部１４ａ、１５ａの個数や形状は、本実施例の１個ずつや円形形状に限定されず、任意の個数や形状にすることができるほか、図８に示す第４実施例の変形例のように、バヨネットカム方式の嵌着接続部１６とすることもできる。
【００３５】
なお、本実施例の連結容器のその他の構成及び作用は、第１実施例の連結容器と同様である。
【実施例５】
【００３６】
図９に、本発明の連結容器の第５実施例を示す。
この連結容器において、嵌着接続部１１は、アリ形状のキー１７及びキー溝１８からなり、接続する容器（蓋体１）同士を、キー１７とキー溝１８の位置合わせをして、接続する容器（蓋体１）の中心軸と直交する面内で蓋体１同士を相対的にスライドさせることによって、嵌着接続部１１の接続及び分離を行うことができるようにしている。
【００３７】
この嵌着接続部１１は、キー１７とキー溝１８の中心軸方向の嵌着寸法を小さくしても、十分な嵌着強度を得ることができるため、容器（蓋体１）の小型化が可能であり、また、接続した容器に、その中心軸方向の引張力、曲げ力や捻り力が加わった場合でも、容器同士が分離しにくく、かつ、容器の接続及び分離操作が煩雑とならず、使い勝手のよい連結容器とすることができる。
【００３８】
嵌着接続部１１のキー１７及びキー溝１８の個数や配置は、本実施例の複数個ずつに限定されず、図１０に示す第５実施例の変形例のように、１個ずつ等、任意の個数や配置にすることができる。
図１０に示す第５実施例の変形例の場合、蓋体の表面（天面）に平坦部を形成できるため、デザインや表示の自由度が高いものとなる。
【００３９】
また、嵌着接続部１１に、図１１及び図１２に示す第５実施例の変形例のように、接続する容器（蓋体１）同士の位置決め手段としての嵌合部、具体的には、図１１に示すような、突条１９ａ、１９ｂや、図１２に示すような凹凸部１９ｃ、１９ｄを設けることができる。
なお、嵌合部の個数や形状は、任意の個数や形状にすることができる。
これにより、接続する容器（蓋体１）同士がずれないようにすることができる。
【００４０】
なお、本実施例の連結容器のその他の構成及び作用は、第１実施例の連結容器と同様である。
【実施例６】
【００４１】
図１３に、本発明の連結容器の第６実施例を示す。
この連結容器において、嵌着接続部１１は、蓋体１の天面に平行に延設した庇片２０と、この庇片２０が挿入される蓋体１の天面と庇片２０との間に形成された隙間２１とからなり、接続する容器（蓋体１）同士を、庇片２０と隙間２１の位置合わせをして、接続する容器（蓋体１）の中心軸と直交する面内で蓋体１同士を相対的にスライドさせることによって、嵌着接続部１１の接続及び分離を行うことができるようにしている。
【００４２】
この嵌着接続部１１は、庇片２０及び隙間２１からなる嵌着接続部１１の中心軸方向の嵌着寸法を小さくできるため、容器（蓋体１）の小型化が可能であり、また、接続した容器に、その中心軸方向の引張力、曲げ力や捻り力が加わった場合でも、容器同士が分離しにくく、かつ、容器の接続及び分離操作が煩雑とならず、使い勝手のよい連結容器とすることができる。
また、蓋体の表面（庇片２０）を平坦に形成できるため、デザインや表示の自由度が高いものとなる。
【００４３】
嵌着接続部１１の庇片２０及び隙間２１の個数（段数）は、本実施例の１個（１段）に限定されず、２個（２段）等、任意の個数（段数）にすることができる。
【００４４】
また、嵌着接続部１１に、接続する容器（蓋体１）同士の位置決め手段としての嵌合部、具体的には、凹凸部１９ｃ、１９ｄを設けることができる。
なお、嵌合部の個数や形状は、任意の個数や形状にすることができる。
これにより、接続する容器（蓋体１）同士がずれないようにすることができる。
【００４５】
なお、本実施例の連結容器のその他の構成及び作用は、第１実施例の連結容器と同様である。
【００４６】
以上、本発明の連結容器について、複数の実施例に基づいて説明したが、本発明は上記実施例に記載した構成に限定されるものではなく、各実施例に記載した構成を適宜組み合わせる等、その趣旨を逸脱しない範囲において適宜その構成を変更することができるものである。
【産業上の利用可能性】
【００４７】
本発明の連結容器は、容器を単独でも、接続しても使用することができ、また、単操作で、容器の収納物を取り出したり、使用したりすることができ、また、接続した容器に、その中心軸方向の引張力、曲げ力や捻り力が加わった場合でも、容器同士が分離しにくく、かつ、容器の接続及び分離操作が煩雑とならず、使い勝手がよいという特性を有していることから、複数種類（特に、３種類以上。）の収納物を収納した蓋体付き容器から２種類を選択して連結して使用する、化粧品や筆記具等の用途に広く、好適に用いることができる。
【符号の説明】
【００４８】
１  蓋体
１１  嵌着接続部
３  容器本体
【図１】
2020196503.tif 000003
【図２】
2020196503.tif 000004
【図３】
2020196503.tif 000005
【図４】
2020196503.tif 000006
【図５】
2020196503.tif 000007
【図６】
2020196503.tif 000008
【図７】
2020196503.tif 000009
【図８】
2020196503.tif 000010
【図９】
2020196503.tif 000011
【図１０】
2020196503.tif 000012
【図１１】
2020196503.tif 000013
【図１２】
2020196503.tif 000014
【図１３】
2020196503.tif 000015